(57)【要約】【課題】４色のサブ画素構造を用いて映像表示を行う際に、信号処理負担を抑えつつ高画質化を実現することが可能な表示装置等を提供する。【解決手段】表示装置１は、各々が４色のサブピクセル１１Ｒ，１１Ｇ，１１Ｂ，１１Ｗを含む複数の画素１１を有する表示パネル１０と、Ｒ，Ｇ，Ｂの３色の入力映像信号に基づいてＲ，Ｇ，Ｂ，Ｚの４色の出力映像信号を生成する変換処理部２１０を有する駆動回路２０とを備えている。変換処理部２１０は、サブピクセル１１Ｗにおける輝度レベルが閾値Ａよりも大きくなる場合には、各サブピクセル１１Ｒ，１１Ｇ，１１Ｂ，１１Ｗにおいて表示動作がなされるように出力映像信号を生成する。サブピクセル１１Ｗにおける輝度レベルが閾値Ａ以下となる場合には、各サブピクセル１１Ｒ，１１Ｇ，１１Ｂにおいて表示動作がなされてサブピクセル１１Ｗにおいて表示動作がなされなくなるように、出力映像信号を生成する。【選択図】図６
2012194256.tif 000002
【特許請求の範囲】
【請求項１】
各々が、赤（Ｒ），緑（Ｇ），青（Ｂ）の３色のサブ画素と、これらの３色よりも高輝度を示す色（Ｚ）のサブ画素とを含んで構成された複数の画素を有する表示部と、
前記Ｒ，Ｇ，Ｂの３色に対応する入力映像信号に基づいて所定の変換処理を行うことにより前記Ｒ，Ｇ，Ｂ，Ｚの４色に対応する出力映像信号を生成する変換処理部を有し、前記出力映像信号を用いて前記Ｒ，Ｇ，Ｂ，Ｚの各サブ画素に対する表示駆動を行う駆動部と
を備え、
前記変換処理部は、
前記Ｚのサブ画素における輝度レベルが所定の閾値よりも大きくなる場合には、前記Ｒ，Ｇ，Ｂ，Ｚの各サブ画素において表示動作がなされるように、前記出力映像信号を生成する一方、
前記Ｚのサブ画素における輝度レベルが前記閾値以下となる場合には、前記Ｒ，Ｇ，Ｂの各サブ画素において表示動作がなされると共に前記Ｚのサブ画素において表示動作がなされなくなるように、前記出力映像信号を生成する
表示装置。
【請求項２】
前記変換処理部は、
前記入力映像信号に基づいて、前記Ｒ，Ｇ，Ｂ，Ｚの４色に対応する変換映像信号を生成し、
前記変換映像信号のうちの前記Ｚに対応する輝度レベルが前記閾値よりも大きい場合には、前記変換映像信号を前記出力映像信号として出力する一方、
前記変換映像信号のうちの前記Ｚに対応する輝度レベルが前記閾値以下である場合には、前記入力映像信号に基づいて、その色度点が保持されつつ前記Ｚに対応する輝度レベルが０（ゼロ）となるように、前記出力映像信号を生成する
請求項１に記載の表示装置。
【請求項３】
前記変換処理部は、
前記Ｒ，Ｇ，Ｂのうちのいずれか１つに対応する輝度レベルが０（ゼロ）となる３種類の変換映像信号を生成すると共に、
それら３種類の変換映像信号のうち、前記Ｒ，Ｇ，Ｂ，Ｚに対応する輝度レベルがいずれも０以上となる変換映像信号を採用して用いる
請求項２に記載の表示装置。
【請求項４】
前記Ｚのサブ画素が最大輝度レベルを示すときの色度点に対する色度変化量が所定の範囲内に収まるように、前記閾値が設定されている
請求項１ないし請求項３のいずれか１項に記載の表示装置。
【請求項５】
前記変換処理部は、前記変換処理の際に、前記Ｚに対応する映像信号に対して色度補正を行わない
請求項１ないし請求項４のいずれか１項に記載の表示装置。
【請求項６】
各画素は、
前記Ｒ，Ｇ，Ｂの３色のサブ画素と、
前記Ｚのサブ画素としての白（Ｗ）のサブ画素とを含む
請求項１ないし請求項５のいずれか１項に記載の表示装置。
【請求項７】
前記３色のサブ画素には、Ｒ，Ｇ，Ｂの各色に対応するカラーフィルタが配設される一方、前記Ｗのサブ画素には、カラーフィルタが配設されていない
請求項６に記載の表示装置。
【請求項８】
前記Ｒ，Ｇ，Ｂ，Ｗの各サブ画素は、白色発光素子を有する
請求項７に記載の表示装置。
【請求項９】
前記白色発光素子は、互いに発光色が異なる複数の発光層を含む
請求項８に記載の表示装置。
【請求項１０】
前記白色発光素子が、有機ＥＬ素子からなる
請求項８または請求項９に記載の表示装置。
【請求項１１】
表示装置を備え、
前記表示装置は、
各々が、赤（Ｒ），緑（Ｇ），青（Ｂ）の３色のサブ画素と、これらの３色よりも高輝度を示す色（Ｚ）のサブ画素とを含んで構成された複数の画素を有する表示部と、
前記Ｒ，Ｇ，Ｂの３色に対応する入力映像信号に基づいて所定の変換処理を行うことにより前記Ｒ，Ｇ，Ｂ，Ｚの４色に対応する出力映像信号を生成する変換処理部を有し、前記出力映像信号を用いて前記Ｒ，Ｇ，Ｂ，Ｚの各サブ画素に対する表示駆動を行う駆動部と
を備え、
前記変換処理部は、
前記Ｚのサブ画素における輝度レベルが所定の閾値よりも大きくなる場合には、前記Ｒ，Ｇ，Ｂ，Ｚの各サブ画素において表示動作がなされるように、前記出力映像信号を生成する一方、
前記Ｚのサブ画素における輝度レベルが前記閾値以下となる場合には、前記Ｒ，Ｇ，Ｂの各サブ画素において表示動作がなされると共に前記Ｚのサブ画素において表示動作がなされなくなるように、前記出力映像信号を生成する
電子機器。
【発明の詳細な説明】
【技術分野】
【０００１】
本発明は、例えば、赤（Ｒ），緑（Ｇ），青（Ｂ），白（Ｗ）の４色のサブ画素（サブピクセル）からなるサブ画素構造を有する表示装置、およびそのような表示装置を備えた電子機器に関する。
【背景技術】
【０００２】
複数の画素を有する表示装置においてカラー映像表示を行う場合、最も一般的な手法は、Ｒ（赤），Ｇ（緑），Ｂ（青）の３原色に対応する３つのサブピクセル（サブ画素）を各画素内に配置し、各サブピクセルでの輝度レベルを個別に調整するというものである。これにより、画素全体としての色度点および輝度を任意に設定することが可能となり、カラー映像表示が実現される。
【０００３】
このようなカラー映像表示が可能な表示装置の一例として、液晶表示装置が挙げられる。この液晶表示装置は一般に、白色光を照射するバックライトと、サブピクセルごとに塗り分けされたＲ，Ｇ，Ｂの各色のカラーフィルタを有する液晶表示パネルとから構成されている。また、この液晶表示パネルには通常、その入射側および出射側の双方に偏光板が配設されている。このため、バックライトからの照射光は、偏光板およびカラーフィルタにおいて強度が低減してしまい、液晶表示装置全体での光利用効率は１割を下回ってしまうのが一般的である。したがって、液晶表示装置では大幅なエネルギーロスが生じ、消費電力の増大を招いてしまっている。
【０００４】
そこで、液晶表示装置における映像表示の際の低消費電力化を図るため、従来、液晶表示パネルにおける各画素を４色のサブピクセルを用いて構成したものが提案されている（例えば、特許文献１参照）。この４色のサブピクセルとは、具体的には、上記したＲ，Ｇ，Ｂの３色のサブピクセルと、これらの３色よりも高輝度を示す色（Ｚ；例えば白（Ｗ）や黄（Ｙ）など）のサブピクセルとのことである。このような４色のサブピクセル用の映像信号を用いて映像表示を行った場合、従来のＲ，Ｇ，Ｂの３色のサブピクセル構造の各画素に対してこれら３色用の映像信号を供給して映像表示を行う場合と比べ、輝度効率を向上させることができ、低消費電力化を図ることが可能となる。
【０００５】
このようなＲ，Ｇ，Ｂ，Ｚの４色のサブピクセル構造を用いた表示装置としては、上記した液晶表示装置に加え、自発光型の有機ＥＬ（Electro Luminescence）表示装置が挙げられる（例えば、特許文献２参照）。また、例えば特許文献３〜５には、有機ＥＬ表示装置において、Ｒ，Ｇ，Ｂの３色に対応する入力映像信号に基づいてＲ，Ｇ，Ｂ，Ｚの４色に対応する出力映像信号を生成する際の手法（色変換処理（ＲＧＢ／ＲＧＢＺ変換処理）の手法）が提案されている。
【先行技術文献】
【特許文献】
【０００６】
【特許文献１】特公平４−５４２０７号公報
【特許文献２】特許第４４３４９３５号公報
【特許文献３】特開２００８−１０７５０７号公報
【特許文献４】特表２００９−５００６５４号公報
【特許文献５】特許第４４９４８０８号公報
【発明の概要】
【発明が解決しようとする課題】
【０００７】
ところで、上記したＲ，Ｇ，Ｂの各サブピクセルではカラーフィルタが設けられる一方、Ｚのサブピクセルでは、高輝度を示すようにする（光利用効率を高める）ため、カラーフィルタが設けられていない（もしくは、色度点調整を目的とした高透過率のフィルタが設けられている）のが一般的である。このため、Ｚのサブピクセル（例えばＷのサブピクセル）では、発光輝度レベルの変化に伴って色度点が変動してしまうという問題があった。そのような色度点変動が生じた場合、表示色も変動してしまうことになる。
【０００８】
具体的には、まず、例えばＷのサブピクセルにおいて白色発光素子を形成する場合、単一の発光材料（発光層）による発光波長域では、白色全域をカバーすることが困難である。このため、通常は、互いに異なる発光波長域（発光色）を有する複数の発光層を面内方向または積層方向に沿って配置して同時に発光させるようにしており、特に有機ＥＬ素子においては積層方向に沿って複数の発光層を形成するのが一般的である。ところが、このように発光色が異なる複数の発光層を用いて白色発光素子を形成する場合、発光輝度レベルの全域において各発光層での発光比率を一定に保つのは容易ではなく、実際には発光輝度レベルの変化に伴って白色発光素子の色度点が変動してしまう。そして、Ｗのサブピクセルでは上記したようにカラーフィルタが設けられていないのが一般的であることから、このような白色発光素子の色度点変動がそのまま映像表示の際の色度変化につながり、画質劣化を引き起こしてしまうのである。
【０００９】
そこで、例えば特許文献１では、このようなＷのサブピクセルでの色度点変動の問題を解決するため、色変換処理後のＲ，Ｇ，Ｂ，Ｗに対応する映像信号に対して所定の色度補正を行うという手法が提案されている。しかしながら、この手法では、色度補正の際に複数種類のルックアップテーブル（ＬＵＴ）を用いた多段の信号処理が必要となることから、信号処理負担が増加し、消費電力の増加や製造コストの増大を招いてしまうという問題があった。
【００１０】
このようにして従来の手法では、各画素がＲ，Ｇ，Ｂ，Ｚの４色のサブピクセル（サブ画素）により構成されている場合において、信号処理負担を抑えつつ高画質化を実現するのが困難であり、改善する手法の提案が望まれていた。
【００１１】
本発明はかかる問題点に鑑みてなされたもので、その目的は、Ｒ，Ｇ，Ｂ，Ｚの４色のサブ画素構造を用いて映像表示を行う際に、信号処理負担を抑えつつ高画質化を実現することが可能な表示装置および電子機器を提供することにある。
【課題を解決するための手段】
【００１２】
本発明の表示装置は、各々が、赤（Ｒ），緑（Ｇ），青（Ｂ）の３色のサブ画素と、これらの３色よりも高輝度を示す色（Ｚ）のサブ画素とを含んで構成された複数の画素を有する表示部と、Ｒ，Ｇ，Ｂの３色に対応する入力映像信号に基づいて所定の変換処理を行うことによりＲ，Ｇ，Ｂ，Ｚの４色に対応する出力映像信号を生成する変換処理部を有し、出力映像信号を用いてＲ，Ｇ，Ｂ，Ｚの各サブ画素に対する表示駆動を行う駆動部とを備えたものである。上記変換処理部は、Ｚのサブ画素における輝度レベルが所定の閾値よりも大きくなる場合には、Ｒ，Ｇ，Ｂ，Ｚの各サブ画素において表示動作がなされるように出力映像信号を生成する一方、Ｚのサブ画素における輝度レベルが上記閾値以下となる場合には、Ｒ，Ｇ，Ｂの各サブ画素において表示動作がなされると共にＺのサブ画素において表示動作がなされなくなるように、出力映像信号を生成する。
【００１３】
本発明の電子機器は、上記本発明の表示装置を備えたものである。
【００１４】
本発明の表示装置および電子機器では、Ｒ，Ｇ，Ｂの３色に対応する入力映像信号に基づいて所定の変換処理が行われることにより、Ｒ，Ｇ，Ｂ，Ｚの４色に対応する出力映像信号が生成され、この出力映像信号を用いてＲ，Ｇ，Ｂ，Ｚの各サブ画素に対する表示駆動が行われる。この際、Ｚのサブ画素における輝度レベルが所定の閾値よりも大きくなる場合には、Ｒ，Ｇ，Ｂ，Ｚの各サブ画素において表示動作がなされるように出力映像信号が生成される。ここで、Ｚのサブ画素における高輝度レベル側では、このＺのサブ画素において輝度レベルが変動したときの色度変化量が相対的に小さいことから、従来のような複雑な色度補正を行わずとも、Ｒ，Ｇ，Ｂ，Ｚの４色のサブ画素を用いて映像表示を行う際の色度変化が抑えられる（色度変化量が小さくて済む）。一方、Ｚのサブ画素における輝度レベルが上記閾値以下となる場合には、Ｒ，Ｇ，Ｂの各サブ画素において表示動作がなされると共にＺのサブ画素において表示動作がなされなくなるように、出力映像信号が生成される。すなわち、Ｚのサブ画素において輝度レベルが変動したときの色度変化量が相対的に大きくなる低輝度レベル側では、Ｒ，Ｇ，Ｂの３色のサブ画素を用いて映像表示が行われる。これにより、従来のような複雑な色度補正を伴った色変換処理を行う必要がなくなる一方、低輝度レベル側であることから、Ｒ，Ｇ，Ｂ，Ｚの４色のサブ画素を用いて映像表示を行わずとも、輝度ベル全体としては十分な消費電力の低減が図られる。
【発明の効果】
【００１５】
本発明の表示装置および電子機器によれば、Ｒ，Ｇ，Ｂの３色に対応する入力映像信号に基づいてＲ，Ｇ，Ｂ，Ｚの４色に対応する出力映像信号を生成する際に、Ｚのサブ画素における輝度レベルが所定の閾値よりも大きくなる場合には、Ｒ，Ｇ，Ｂ，Ｚの各サブ画素において表示動作がなされるように出力映像信号を生成する一方、Ｚのサブ画素における輝度レベルが上記閾値以下となる場合には、Ｒ，Ｇ，Ｂの各サブ画素において表示動作がなされると共にＺのサブ画素において表示動作がなされなくなるように、出力映像信号を生成するようにしたので、複雑な処理（色度補正や色変換処理）を行うことなく、映像表示の際の色度変化を抑えることができる。よって、Ｒ，Ｇ，Ｂ，Ｚの４色のサブ画素構造を用いて映像表示を行う際に、信号処理負担を抑えつつ高画質化を実現することが可能となると共に、Ｒ，Ｇ，Ｂの３色のサブ画素構造を用いて映像表示を行う場合と比べて消費電力を低減することも可能となる。
【図面の簡単な説明】
【００１６】
【図１】本発明の一実施の形態に係る表示装置の一例を表すブロック図である。
【図２】図１に示した各画素内のサブピクセル構造例を表す模式図である。
【図３】図２に示した各サブピクセルの内部構成の一例を表す回路図である。
【図４】図２に示した各サブピクセルの断面構成の一例を表す模式図である。
【図５】図４に示した有機層の詳細な断面構成例を表す模式図である。
【図６】実施の形態の実施例に係る発光輝度レベルと色度との関係を表す特性図である。
【図７】実施の形態に係る変換処理部における変換処理の一例を表す流れ図である。
【図８】変形例に係る各画素内のサブピクセル構造例を表す模式図である。
【図９】実施の形態および変形例の表示装置を含むモジュールの概略構成を表す平面図である。
【図１０】実施の形態および変形例の表示装置の適用例１の外観を表す斜視図である。
【図１１】（Ａ）は適用例２の表側から見た外観を表す斜視図であり、（Ｂ）は裏側から見た外観を表す斜視図である。
【図１２】適用例３の外観を表す斜視図である。
【図１３】適用例４の外観を表す斜視図である。
【図１４】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１７】
以下、本発明の実施の形態について、図面を参照して詳細に説明する。なお、説明は以下の順序で行う。
１．実施の形態（各画素がＲＧＢＷのサブピクセル構造である例）
２．変形例（各画素がＲＧＢＹのサブピクセル構造である例）
３．モジュールおよび適用例
４．その他の変形例
【００１８】
＜実施の形態＞
［表示装置１の構成］
図１は、本発明の一実施の形態に係る表示装置（表示装置１）の概略構成をブロック図で表したものである。この表示装置１は、表示パネル１０（表示部）および駆動回路２０（駆動部）を備えている。
【００１９】
（表示パネル１０）
表示パネル１０は、複数の画素１１がマトリクス状に配置された画素アレイ部１３を有しており、外部から入力される映像信号２０Ａおよび同期信号２０Ｂに基づいて、アクティブマトリクス駆動により画像表示を行うものである。各画素１１は、後述する複数の色（ここでは４色）に対応する複数のサブピクセル（各色用のサブ画素）を含んで構成されている。
【００２０】
画素アレイ部１３は、行状に配置された複数の走査線ＷＳＬと、列状に配置された複数の信号線ＤＴＬと、走査線ＷＳＬに沿って行状に配置された複数の電源線ＤＳＬとを有している。これらの走査線ＷＳＬ、信号線ＤＴＬおよび電源線ＤＳＬの一端側はそれぞれ、後述する駆動回路２０に接続されている。また、上記した各画素１１は、各走査線ＷＳＬと各信号線ＤＴＬとの交差部に対応して、行列状に配置（マトリクス配置）されている。なお、図１では、以下説明する複数の色に対応する複数の信号線（各色用の信号線）ＤＴＬｒ，ＤＴＬｇ，ＤＴＬｂ，ＤＴＬｗを、簡略化して１つの信号線ＤＴＬとして示している。
【００２１】
図２（Ａ），（Ｂ）はそれぞれ、各画素１１の内部構成（サブピクセル構造）の一例を、平面図で模式的に表したものである。
【００２２】
各画素１１は、例えば図２（Ａ），（Ｂ）に示したように、赤（Ｒ），緑（Ｇ），青（Ｂ）の３原色のサブピクセル１１Ｒ，１１Ｇ，１１Ｂと、これらの３色よりも高輝度を示す色Ｚ（ここでは、白（Ｗ））のサブピクセル１１Ｗとにより構成されている。すなわち、各画素１１は、Ｒ，Ｇ，Ｂ，Ｗの４色に対応する４つのサブピクセル１１Ｒ，１１Ｇ，１１Ｂ，１１Ｗからなるサブピクセル構造となっている。ここでは、図２（Ａ）に示した例では、各画素１１内で４つのサブピクセル１１Ｒ，１１Ｇ，１１Ｂ，１１Ｗがマトリクス状（２×２の行列状）に配置されている。また、図２（Ｂ）に示した例では、各画素１１内で４つのサブピクセル１１Ｒ，１１Ｇ，１１Ｂ，１１Ｗが一列に並んで配置されている。ただし、各画素１１内での各サブピクセルル１１Ｒ，１１Ｇ，１１Ｂ，１１Ｗの配置構成は、これらの例には限られず、他の配置構成であってもよい。
【００２３】
なお、図２中には図示していないが、サブピクセル１１Ｒには、信号線ＤＴＬｒ、走査線ＷＳＬおよび発光制御線ＤＳＬが接続されている。サブピクセル１１Ｂには、信号線ＤＴＬｂ、走査線ＷＳＬおよび発光制御線ＤＳＬが接続されている。サブピクセル１１Ｇには、信号線ＤＴＬｇ、走査線ＷＳＬおよび発光制御線ＤＳＬが接続されている。サブピクセル１１Ｗには、信号線ＤＴＬｇ、走査線ＷＳＬおよび発光制御線ＤＳＬが接続されている。すなわち、各サブピクセル１１Ｒ，１１Ｂ，１１Ｇ，１１Ｗには、各色に対応する信号線ＤＴＬｒ，ＤＴＬｂ，ＤＴＬｇ，ＤＴＬｗがそれぞれ個別に接続されている一方、走査線ＷＳＬおよび電源線ＤＳＬは共通して接続されている。
【００２４】
図３は、各サブピクセル１１Ｒ，１１Ｇ，１１Ｂ，１１Ｗの内部構成（回路構成）の一例を表したものである。各サブピクセル１１Ｒ，１１Ｇ，１１Ｂ，１１Ｗ内には、有機ＥＬ素子１２（発光素子）および画素回路１４が設けられている。
【００２５】
画素回路１４は、書き込み（サンプリング用）トランジスタＴｒ１、駆動トランジスタＴｒ２および保持容量素子Ｃｓを用いて構成されている。すなわち、この画素回路１４は、いわゆる「２Ｔｒ１Ｃ」の回路構成となっている。ここで、書き込みトランジスタＴｒ１および駆動トランジスタＴｒ２はそれぞれ、例えば、ｎチャネルＭＯＳ（Metal Oxide Semiconductor）型のＴＦＴ（Thin Film Transistor；薄膜トランジスタ）により形成されている。なお、ＴＦＴの種類は特に限定されるものではなく、例えば、逆スタガー構造（いわゆるボトムゲート型）であってもよいし、スタガー構造（いわゆるトップゲート型）であってもよい。
【００２６】
画素回路１４では、書き込みトランジスタＴｒ１のゲートが走査線ＷＳＬに接続され、ドレインが信号線ＤＴＬ（ＤＴＬｒ，ＤＴＬｇ，ＤＴＬｂ，ＤＴＬｗ）に接続され、ソースが、駆動トランジスタＴｒ２のゲートおよび保持容量素子Ｃｓの一端に接続されている。駆動トランジスタＴｒ２のドレインは電源線ＤＳＬに接続され、ソースは、保持容量素子Ｃｓの他端および有機ＥＬ素子１２のアノードに接続されている。有機ＥＬ素子１２のカソードは、固定電位ＶＳＳ（例えば、接地電位）に設定されている。
【００２７】
図４は、表示パネル１０の断面構成例（各サブピクセル１１Ｒ，１１Ｇ，１１Ｂ，１１Ｗの断面構成例）を模式的に表したものである。この表示パネル１０は、背面（裏面）側から表面側へ向かって、基板４１、絶縁層４２、下部電極４３、有機層４４、上部電極４５、絶縁層４６、カラーフィルタ４７Ｒ，４７Ｇ，４７Ｂおよび封止用基板４８をこの順に有している。
【００２８】
基板４１は、シリコン（Ｓｉ）基板等の半導体基板やガラス基板，樹脂基板などの上に、図示しないＴＦＴ等の駆動素子（例えば、前述した書き込みトランジスタＴｒ１、駆動トランジスタＴｒ２および保持容量素子Ｃｓなど）が形成されてなる基板である。絶縁層４２は、上記した各駆動素子の保護膜として機能するものであり、例えばシリコン酸化物（ＳｉＯ2）やシリコン窒化物（ＳｉＮ）等からなる。
【００２９】
下部電極４３は、ここではアノード電極として機能しており、サブピクセル１１Ｒ，１１Ｇ，１１Ｂ，１１Ｗごとに個別に設けられている。この下部電極４３は、ここでは後述するように表示パネル１０が上面発光型（いわゆるトップエミッション型）のものであるため、有機ＥＬ素子１２からの発光光（ここでは白色光Ｌｗ）に対する光反射率が高い材料（例えば銀（Ａｇ）等）からなる。有機層４４は、ここでは白色発光がなされる発光層（後述する白色発光層４４１Ｗ）と、例えば正孔注入層、正孔輸送層、電子注入層および電子輸送層（いずれも図示せず）とが積層された構造となっている。上部電極４５は、ここではカソード電極として機能しており、各サブピクセル１１Ｒ，１１Ｇ，１１Ｂ，１１Ｗに共通の電極（共通電極）となっている。この上部電極４５は、ここでは有機ＥＬ素子１２からの発光光（ここでは白色光Ｌｗ）に対する光透過率が高い材料（例えばＩＴＯ（Indium Tin Oxide）等）からなる透明電極である。これらの下部電極４３、有機層４４および上部電極４５により、上記した有機ＥＬ素子１２が形成されるようになっている。
【００３０】
ここで、上記した有機層４４では、例えば図５（Ａ），（Ｂ）に示したように、白色発光層４４１Ｗが互いに発光色が異なる複数の発光層からなる。具体的には、図５（Ａ）に示した例では、白色発光層４４１Ｗは、赤色発光層４４１Ｒ、緑色発光層４４１Ｇおよび青色発光層４４１Ｂが積層された構造（いわゆるタンデム構造）となっている。一方、図５（Ｂ）に示した例では、白色発光層４４１Ｗは、黄色発光層４４１Ｙおよび青色発光層４４１Ｂが積層された構造となっている。このように、白色発光層４４１Ｗではこれらの複数の発光層が同時に発光することにより、白色光Ｌｗが出射されるようになっている。
【００３１】
絶縁層４６は、封止層として機能するものであり、例えばシリコン酸化物（ＳｉＯ2）やシリコン窒化物（ＳｉＮ）等からなる。封止用基板４８は、表示パネル１０全体を封止するための基板であり、例えばガラス基板等の透明基板からなる。
【００３２】
カラーフィルタ４７Ｒ，４７Ｇ，４７Ｂは、各サブピクセル１１Ｒ，１１Ｇ，１１Ｂに対応して個別に配設されている。具体的には、サブピクセル１１Ｒには、赤色光Ｌｒを選択的に透過するカラーフィルタ４７Ｒが配設されている。サブピクセル１１Ｇには、緑色光Ｌｇを選択的に透過するカラーフィルタ４７Ｇが配設されている。サブピクセル１１Ｂには、青色光Ｌｂを選択的に透過するカラーフィルタ４７Ｂが配設されている。これにより、有機層４４（有機ＥＬ素子１２）から発せられた白色光Ｌｗのうち、サブピクセル１１Ｒ，１１Ｇ，１１Ｂではそれぞれ、赤色光Ｌｒ，緑色光Ｌｇ，青色光Ｌｂが選択的に透過して表示光として出射されるようになっている。一方、サブピクセル１１Ｗには、このようなカラーフィルタが配設されておらず、有機層４４（有機ＥＬ素子１２）から発せられた白色光Ｌｗがそのまま表示光として出射されるようになっている。ただし、サブピクセル１１Ｗ内に、概ね白色光Ｌｗを透過するフィルタや、白色光Ｌｗの色度点を所望の白色点に近付けるための透過率の高いカラーフィルタを設けるようにしてもよい。
【００３３】
なお、ここでは、上面発光型の表示パネル１０を例に挙げて説明したが、これには限られず、例えば、表示パネル１０が下面発光型（いわゆるボトムエミッション型）のものであってもよい。また、ここでは、下部電極４３がアノード電極として機能すると共に上部電極４５がカソード電極として機能する場合を例に挙げて説明したが、逆に、下部電極４３がカソード電極として機能すると共に上部電極４５がアノード電極として機能するようにしてもよい。
【００３４】
（駆動回路２０）
図１に示した駆動回路２０は、画素アレイ部１３（表示パネル１０）を駆動する（表示駆動を行う）ものである。具体的には、画素アレイ部１３における複数の画素１１を順次選択しつつ、選択された画素１１内の各サブピクセル１１Ｒ，１１Ｂ，１１Ｇ，１１Ｗに対して映像信号２０Ａに基づく映像信号電圧を書き込むことにより、複数の画素１１に対する表示駆動を行っている。すなわち、駆動回路２０は、映像信号２０Ａに基づいて各サブピクセル１１Ｒ，１１Ｂ，１１Ｇ，１１Ｗに対する表示駆動を行うようになっている。この駆動回路２０は、映像信号処理回路２１、タイミング生成回路２２、走査線駆動回路２３、信号線駆動回路２４および電源線駆動回路２５を有している。
【００３５】
映像信号処理回路２１は、外部から入力されるデジタルの映像信号２０Ａに対して所定の映像信号処理を行うと共に、そのような映像信号処理後の映像信号２１Ａを信号線駆動回路２４に出力するものである。この所定の映像信号処理としては、例えば、ガンマ補正処理やオーバードライブ処理などが挙げられる。
【００３６】
この映像信号処理回路２１はまた、所定の変換処理（ＲＧＢ／ＲＧＢＷ変換処理）を行う変換処理部２１０を有している。この変換処理部２１０は、Ｒ，Ｇ，Ｂの３色に対応する入力映像信号に基づいて上記したＲＧＢ／ＲＧＢＷ変換処理を行うことにより、Ｒ，Ｇ，Ｂ，Ｗの４色に対応する出力映像信号を生成するものである。このような変換処理部２１０は、例えば、複数の乗算器および加算器を用いて構成されている。なお、この変換処理部２１０の詳細動作（詳細な変換処理）については後述する（図６および図７）。
【００３７】
タイミング生成回路２２は、外部から入力される同期信号２０Ｂに基づいて制御信号２２Ａを生成し出力することにより、走査線駆動回路２３、信号線駆動回路２４および電源線駆動回路２５がそれぞれ、連動して動作するように制御するものである。
【００３８】
走査線駆動回路２３は、制御信号２２Ａに従って（同期して）複数の走査線ＷＳＬに対して選択パルスを順次印加することにより、複数の画素１１を順次選択するものである。具体的には、書き込みトランジスタＴｒ１をオン状態に設定するときに印加する電圧Ｖonと、書き込みトランジスタＴｒ１をオフ状態に設定するときに印加する電圧Ｖoffとを選択的に出力することにより、上記した選択パルスを生成するようになっている。ここで、電圧Ｖonは、書き込みトランジスタＴｒ１のオン電圧以上の値（一定値）となっており、電圧Ｖoffは、書き込みトランジスタＴｒ１のオン電圧よりも低い値（一定値）となっている。
【００３９】
信号線駆動回路２４は、制御信号２２Ａに従って（同期して）、映像信号処理回路２１から入力される映像信号２１Ａに対応するアナログの映像信号を生成し、各信号線ＤＴＬ（ＤＴＬｒ，ＤＴＬｇ，ＤＴＬｂ，ＤＴＬｗ）に印加するものである。具体的には、この映像信号２１Ａに基づく各色用のアナログの映像信号電圧を、各信号線ＤＴＬｒ，ＤＴＬｇ，ＤＴＬｂ，ＤＴＬｗに対して個別に印加する。これにより、走査線駆動回路２３により選択された画素１１内の各サブピクセル１１Ｒ，１１Ｂ，１１Ｇ，１１Ｗに対して、映像信号の書き込みを行うようになっている。なお、映像信号の書き込みとは、補助容量素子Ｃｓに対して上記映像信号電圧をプログラムし、駆動トランジスタＴｒ２のゲート−ソース間に所定の電圧を印加することを意味している。
【００４０】
電源線駆動回路２５は、制御信号２２Ａに従って（同期して）複数の電源線ＤＳＬに対して制御パルスを順次印加することにより、各画素１１内の各サブピクセル１１Ｒ，１１Ｂ，１１Ｇ，１１Ｗにおける有機ＥＬ素子１２の発光（点灯）動作および消光（消灯）動作の制御を行うものである。言い換えると、上記制御パルスの幅（パルス幅）を調整することにより、各画素１１内の各サブピクセル１１Ｒ，１１Ｂ，１１Ｇ，１１Ｗにおける発光期間および消光期間の長さを制御する（ＰＷＭ（Pulse Width Modulation）制御を行う）ようになっている。
【００４１】
［表示装置１の作用・効果］
（基本動作）
この表示装置１では、図１〜図３に示したように、駆動回路２０が、表示パネル１０（画素アレイ部１３）内の各画素１１（各サブピクセル１１Ｒ，１１Ｂ，１１Ｇ，１１Ｗ）に対し、映像信号２０Ａおよび同期信号２０Ｂに基づく表示駆動を行う。これにより、図４および図５に示したように、各サブピクセル１１Ｒ，１１Ｂ，１１Ｇ，１１Ｗ内の有機ＥＬ素子１２へ駆動電流が注入され、有機層４４内の発光層（ここでは白色発光層４４１Ｗ）において正孔と電子とが再結合し、発光（ここでは白色発光）が起こる。そして、サブピクセル１１Ｒでは、この白色発光層４４１Ｗからの発光光（白色光Ｌｗ）がそのまま表示光として上面側（封止用基板４８側）から出射される。一方、サブピクセル１１Ｒ，１１Ｇ，１１Ｂでは、白色発光層４４１Ｗから発せられた白色光Ｌｗが、カラーフィルタ４７Ｒ，４７Ｇ，４７Ｂを個別に通過することにより、赤色光Ｌｒ，緑色光Ｌｇ，青色光Ｌｂとなって表示光として上面側から出射される。このようにして、表示パネル１０において、映像信号２０Ａに基づく画像表示がなされる。
【００４２】
この際、本実施の形態では上記したように、４色のサブピクセル１１Ｒ，１１Ｇ，１１Ｂ，１１Ｗに対応する映像信号を用いて映像表示がなされる。これにより、従来のＲ，Ｇ，Ｂの３色のサブピクセルに対応する映像信号を用いて映像表示を行う場合と比べ、輝度効率が向上し、低消費電力化が図られる。
【００４３】
また、図２および図３を参照すると、各サブピクセル１１Ｒ，１１Ｂ，１１Ｇ，１１Ｗでは、以下のようにして映像信号の書き込み動作が行われる。まず、信号線ＤＴＬの電圧が映像信号電圧となっており、かつ電源線ＤＳＬの電圧が電圧ＶＨ（「Ｈ（ハイ）」状態）となっている期間中に、走査線駆動回路２３が、走査線ＷＳＬの電圧を電圧Ｖoffから電圧Ｖonに上げる。これにより、書き込みトランジスタＴｒ１がオン状態となるため、駆動トランジスタＴｒ２のゲート電位Ｖｇが、このときの信号線ＤＴＬの電圧に対応する映像信号電圧へと上昇する。その結果、補助容量素子Ｃｓに対して映像信号電圧が書き込まれ、保持される。
【００４４】
このとき、有機ＥＬ素子１２のアノード電圧は、この段階ではまだ、有機ＥＬ素子１２における閾値電圧Ｖelとカソード電圧Ｖca（＝ＶＳＳ）とを足し合わせた電圧値（Ｖel＋Ｖca）よりも小さく、有機ＥＬ素子１２はカットオフ状態となっている。すなわち、この段階では、有機ＥＬ素子１２のアノード−カソード間には電流が流れない（有機ＥＬ素子１２が発光しない）。したがって、駆動トランジスタＴｒ２から供給される電流Ｉｄは、有機ＥＬ素子１２のアノード−カソード間に並列に存在する素子容量（図示せず）へと流れ、この素子容量が充電される。
【００４５】
次に、信号線ＤＴＬおよび電源線ＤＳＬの電圧がそれぞれ、映像信号電圧および電圧ＶＨ（「Ｈ」状態）のまま保持されている期間中に、走査線駆動回路２３が、走査線ＷＳＬの電圧を電圧Ｖonから電圧Ｖoffへと下げる。これにより、書き込みトランジスタＴｒ１がオフ状態となるため、駆動トランジスタＴｒ２のゲートがフローティングとなる。すると、この駆動トランジスタＴｒ２のゲート−ソース間電圧Ｖｇｓが一定に保持された状態で、駆動トランジスタＴｒ２のドレイン−ソース間に電流Ｉｄが流れる。その結果、この駆動トランジスタＴｒ２のソース電位Ｖｓが上昇すると共に、駆動トランジスタＴｒ２のゲート電位Ｖｇもまた、保持容量素子Ｃｓを介した容量カップリングにより、連動して上昇する。これにより、有機ＥＬ素子１２のアノード電圧が、この有機ＥＬ素子１２における閾値電圧Ｖelとカソード電圧Ｖcaとを足し合わせた電圧値（Ｖel＋Ｖca）よりも大きくなる。よって、有機ＥＬ素子１２のアノード−カソード間には、補助容量素子Ｃｓに保持された映像信号電圧、すなわち駆動トランジスタＴｒ２におけるゲート−ソース間電圧Ｖｇｓに応じた電流Ｉｄが流れ、有機ＥＬ素子１２が所望の輝度で発光する。
【００４６】
次に、駆動回路２０は、所定の期間が経過したのち、有機ＥＬ素子１２の発光期間を終了させる。具体的には、電源線駆動回路２５が、電源線ＤＳＬの電圧を電圧ＶＨから電圧ＶＬへと下げる（「Ｈ」状態から「Ｌ（ロー）」状態へと移行させる）。すると、駆動トランジスタＴｒ２のソース電位Ｖｓが下降していく。これにより、有機ＥＬ素子１２のアノード電圧が、この有機ＥＬ素子１２における閾値電圧Ｖelとカソード電圧Ｖcaとを足し合わせた電圧値（Ｖel＋Ｖca）よりも小さくなり、アノード−カソード間に電流Ｉｄが流れなくなる。その結果、これ以降は有機ＥＬ素子１２が消光する（消光期間へと移行する）。このようにして、電源線ＤＳＬに対して印加する制御パルスの幅（ここでは、「Ｈ」状態の期間の長さ）に応じて、各画素１１内の各サブピクセル１１Ｒ，１１Ｂ，１１Ｇ，１１Ｗにおける発光期間の長さを制御することが可能となっている。
【００４７】
なお、その後は、駆動回路２０は、これまで説明した発光動作および消光動作がフレーム期間（１垂直期間、１Ｖ期間）ごとに周期的に繰り返されるように、表示駆動を行う。また、それと共に、駆動回路２０は、例えば１水平期間（１Ｈ期間）ごとに、電源線ＤＳＬに印加する制御パルスおよび走査線ＷＳＬに印加する選択パルスをそれぞれ、行方向に走査させる。以上のようにして、表示装置１における表示動作（駆動回路２０による表示駆動）がなされる。
【００４８】
（特徴的部分の作用）
次に、本実施の形態の表示装置１における特徴的部分の作用について、詳細に説明する。
【００４９】
まず、上記したように４色のサブピクセル１１Ｒ，１１Ｇ，１１Ｂ，１１Ｗからなるサブピクセル構造を用いて映像表示（カラー映像表示）を行う場合、従来の構成では以下の問題が生じることになる。すなわち、サブピクセル１１Ｗにおいて、発光輝度レベルの変化に伴って色度点が変動してしまうという問題である。
【００５０】
具体的には、まず、サブピクセル１１Ｗにおいて白色発光素子を形成する場合、単一の発光材料（発光層）による発光波長域では、白色全域をカバーすることが困難である。このため、通常は前述したように、互いに異なる発光波長域（発光色）を有する複数の発光層を面内方向または積層方向に沿って配置し同時に発光させるようにしている。ところが、このように発光色が異なる複数の発光層を用いて白色発光素子を形成する場合、発光輝度レベルの全域において、各発光層（前述した赤色発光層４４１Ｒや緑色発光層４４１Ｇ、青色発光層４４１Ｂ、黄色発光層４４１Ｙ等）での発光比率を一定に保つのは容易ではない。すなわち、実際には発光輝度レベルの変化に伴って、白色発光素子の色度点が変動してしまう。そして、サブピクセル１１Ｗでは前述したようにカラーフィルタが設けられていないことから、このような白色発光素子の色度点変動がそのまま映像表示の際の色度変化につながり、画質劣化を引き起こしてしまうのである。
【００５１】
そこで、このようなサブピクセル１１Ｗでの色度点変動の問題を解決するため、色変換処理後のＲ，Ｇ，Ｂ，Ｗに対応する映像信号に対して所定の色度補正を行うという手法が考えられる。しかしながら、この手法では、色度補正の際に複数種類のルックアップテーブル（ＬＵＴ）を用いた多段の信号処理が必要となることから、信号処理負担が増加し、消費電力の増加や製造コストの増大を招いてしまうことになる。
【００５２】
そこで本実施の形態の表示装置１では、変換処理部２１０において、以下詳述する変換処理（ＲＧＢ／ＲＧＢＷ変換処理）を行うことにより、Ｒ，Ｇ，Ｂの３色に対応する入力映像信号に基づいてＲ，Ｇ，Ｂ，Ｗの４色に対応する出力映像信号を生成する。具体的には、変換処理部２１０はまず、サブピクセル１１Ｗにおける輝度レベル（発光輝度レベル）が所定の閾値Ａよりも大きくなる場合には、各サブピクセル１１Ｒ，１１Ｇ，１１Ｂ，１１Ｗにおいて表示動作がなされるように、出力映像信号を生成する。一方、変換処理部２１０は、サブピクセル１１Ｗにおける輝度レベルが上記閾値Ａ以下となる場合には、各サブピクセル１１Ｒ，１１Ｇ，１１Ｂにおいて表示動作がなされると共にサブピクセル１１Ｗにおいて表示動作がなされなくなるように、出力映像信号を生成する。このようにして、本実施の形態の変換処理部２１０は、ＲＧＢ／ＲＧＢＷ変換処理の際に、従来とは異なり、サブピクセル１１Ｗに対応する映像信号に対して色度補正を行わないようになっている。
【００５３】
ここで、上記した閾値Ａは、例えば図６（Ａ），（Ｂ）に示した一実施例のように、サブピクセル１１Ｗが最大輝度レベルを示すときの色度点に対する色度変化量が所定の範囲内（例えば、Δｕ’ｖ’において、０．００４〜０．００８程度の色度変化量以内）に収まるように設定されている。すなわち、この閾値Ａよりも大きい輝度レベルの範囲（各サブピクセル１１Ｒ，１１Ｇ，１１Ｂ，１１Ｗにおいて表示動作がなされる範囲）は、上記した最高輝度レベルを含む所定の範囲に設定されるのが望ましい。
【００５４】
このように、サブピクセル１１Ｗにおける輝度レベルが所定の閾値Ａよりも大きくなる場合には、各サブピクセル１１Ｒ，１１Ｇ，１１Ｂ，１１Ｗにおいて表示動作がなされるように出力映像信号が生成されることにより、以下の作用が生じる。すなわち、まず、例えば図６（Ａ），（Ｂ）に示したように、サブピクセル１１Ｗにおける発光輝度レベルのうちの高輝度レベル側（閾値Ａよりも大きい輝度レベル範囲）では、発光輝度レベルが変動したときの色度変化量が相対的に小さくなる。具体的には、サブピクセル１１Ｗでは、発光輝度レベルの対数に対してほぼ直線的な色度変化を示すことから（図６（Ｂ）参照）、低輝度レベル側（閾値Ａ以下の輝度レベル範囲）よりも高輝度レベル側において、発光輝度レベルの変化に対する色度変化量が小さくなる。したがって、この高輝度レベル側では、従来のような複雑な色度補正を行わずとも、４色のサブピクセル１１Ｒ，１１Ｇ，１１Ｂ，１１Ｗを用いて映像表示を行う際の色度変化が抑えられる（色度変化量が小さくて済む）。
【００５５】
また、サブピクセル１１Ｗにおける輝度レベルが上記閾値Ａ以下となる場合には、各サブピクセル１１Ｒ，１１Ｇ，１１Ｂにおいて表示動作がなされると共にサブピクセル１１Ｗにおいて表示動作がなされなくなるように出力映像信号が生成されることにより、以下の作用が生じる。すなわち、これは、サブピクセル１１Ｗにおいて輝度レベルが変動したときの色度変化量が相対的に大きくなる低輝度レベル側では、３色のサブピクセル１１Ｒ，１１Ｇ，１１Ｂを用いて映像表示が行われるということである。これにより、従来のような複雑な色度補正を伴った色変換処理（ＲＧＢ／ＲＧＢＷ変換処理）を行う必要がなくなる。また、低輝度レベル側であることから、４色のサブピクセル１１Ｒ，１１Ｇ，１１Ｂ，１１Ｗを用いて映像表示を行わずとも、輝度ベル全体としては十分な消費電力の低減が図られる。
【００５６】
ここで、より具体的には、変換処理部２１０は、例えば図７に示したようにして変換処理を行う。以下、図７を参照して、この変換処理部２１０における変換処理について詳細に説明する。
【００５７】
まず、変換処理部２１０は、Ｒ，Ｇ，Ｂの３色に対応する入力映像信号（Ｒ，Ｇ，Ｂ）を取得する（ステップＳ１０１）。次いで、変換処理部２１０は、この入力映像信号（Ｒ，Ｇ，Ｂ）を、ＣＩＥ（Commission Internationale de l'Eclairage）により規定される表色系である３刺激値Ｘ，Ｙ，Ｚからなる映像信号（Ｘ，Ｙ，Ｚ）に変換する（ステップＳ１０２）。具体的には、まず、表示パネル１０に固有のＲ，Ｇ，Ｂの飽和色を予め測定した結果に基づき、例えば以下の（１）式により規定される変換マトリクス（変換行列）Ｍを求めておく。次いで、この変換マトリクスＭの逆行列Ｍ-1を用いて、以下の（２）式により、入力映像信号（Ｒ，Ｇ，Ｂ）の白色点における混合比率（ｒ，ｇ，ｂ）を予め求めておく。そして、この混合比率（ｒ，ｇ，ｂ）を用いて、以下の（３）式および（４）式により、入力映像信号（Ｒ，Ｇ，Ｂ）を映像信号（Ｘ，Ｙ，Ｚ）に変換する。ここで、式中のＲｘ，Ｇｘ，Ｂｘ，Ｗｘはそれぞれ、映像信号Ｒ，Ｇ，Ｂ，Ｗの刺激値Ｘに対応する値を示し、Ｒｙ，Ｇｙ，Ｂｙ，Ｗｙはそれぞれ、映像信号Ｒ，Ｇ，Ｂ，Ｗの刺激値Ｙに対応する値を示し、Ｒｚ，Ｇｚ，Ｂｚ，Ｗｚはそれぞれ、映像信号Ｒ，Ｇ，Ｂ，Ｗの刺激値Ｚに対応する値を示す。なお、入力映像信号（Ｒ，Ｇ，Ｂ）は、例えば各色について８ビットまたは１６ビットの映像信号であり、例えば２．２乗等のガンマ関数に従ってその強度を表したものであるが、各サブピクセルの発光色度点および輝度を規定するものであれば、これには限られない。また、入力映像信号（Ｒ，Ｇ，Ｂ）から映像信号（Ｘ，Ｙ，Ｚ）への変換手法については、上記した手法には限られず、他の公知の手法を用いてもよい。また、例えば、複数の白色点に対する変換マトリクスを求めておいてもよいし、表示パネル１０内の画素１１や領域ごとに異なる変換マトリクスを求めておくようにしてもよい。
【００５８】
【数１】
2012194256.tif 000003
【００５９】
次に、変換処理部２１０は、以下の（５）〜（７）式により規定される変換マトリクスＭｒ，Ｍｇ，Ｍｂを用いて、以下の（８）〜（１０）式および（１１）〜（１３）式により、映像信号（Ｘ，Ｙ，Ｚ）からＲ，Ｇ，Ｂ，Ｗの４色に対応する変換映像信号（ｒ，ｇ，ｂ，ｗ）を生成する。具体的には、変換処理部２１０は、Ｒ，Ｇ，Ｂのうちのいずれか１つに対応する輝度レベルが０（ゼロ）となる３種類の変換映像信号を生成すると共に、それら３種類の変換映像信号のうち、Ｒ，Ｇ，Ｂ，Ｗに対応する輝度レベルがいずれも０以上となる変換映像信号を採用して用いる。すなわち、まず、変換処理部２１０は以下の（８）式を用いて、映像信号（Ｘ，Ｙ，Ｚ）から映像信号（Ｗｐ，Ｇｐ，Ｂｐ）を求める。そして、この（Ｗｐ，Ｇｐ，Ｂｐ）の値がいずれも０以上となる場合には（ステップＳ１０３：Ｙ）、変換映像信号（ｒ，ｇ，ｂ，ｗ）として（０，Ｇｐ，Ｂｐ，Ｗｐ）を採用する（ステップＳ１０４）。一方、（Ｗｐ，Ｇｐ，Ｂｐ）の値がいずれも０以上とはならない場合には（ステップＳ１０３：Ｎ）、次に変換処理部２１０は、以下の（９）式を用いて、映像信号（Ｘ，Ｙ，Ｚ）から映像信号（Ｒｐ，Ｗｐ，Ｂｐ）を求める。そして、この（Ｒｐ，Ｗｐ，Ｂｐ）の値がいずれも０以上となる場合には（ステップＳ１０５：Ｙ）、変換映像信号（ｒ，ｇ，ｂ，ｗ）として（Ｒｐ，０，Ｂｐ，Ｗｐ）を採用する（ステップＳ１０６）。一方、（Ｒｐ，Ｗｐ，Ｂｐ）の値がいずれも０以上とはならない場合には（ステップＳ１０５：Ｎ）、次に変換処理部２１０は、以下の（１０）式を用いて、映像信号（Ｘ，Ｙ，Ｚ）から映像信号（Ｒｐ，Ｇｐ，Ｗｐ）を求める。そして、変換映像信号（ｒ，ｇ，ｂ，ｗ）として（Ｒｐ，Ｇｐ，０，Ｗｐ）を採用する（ステップＳ１０７）。
【００６０】
【数２】
2012194256.tif 000004
【００６１】
【数３】
2012194256.tif 000005
【００６２】
続いて、変換処理部２１０は、このようにして求めた変換映像信号（ｒ，ｇ，ｂ，ｗ）のうち、Ｗに対応する輝度レベル（Ｗｐの値）が前述した所定の閾値Ａよりも大きいのか否かを判定する（ステップＳ１０８）。そして、Ｗｐが閾値Ａよりも大きい場合には（ステップＳ１０８：Ｙ）、この変換映像信号（ｒ，ｇ，ｂ，ｗ）をそのまま出力映像信号として採用する。一方、Ｗｐが閾値Ａ以下である場合には（ステップＳ１０８：Ｎ）、以下の（１４）式を用いて、映像信号（Ｘ，Ｙ，Ｚ）から映像信号（Ｒｐ，Ｇｐ，Ｂｐ）を求める。そして、出力映像信号として、（ｒ，ｇ，ｂ，ｗ）＝（Ｒｐ，Ｇｐ，Ｂｐ，０）を採用する（ステップＳ１１０）。すなわち、この場合には、出力映像信号として、Ｗに対応する輝度レベルが０となるものを採用する。
【００６３】
【数４】
2012194256.tif 000006
【００６４】
次いで、ここでは、例えば所定のルックアップテーブル（ＬＵＴ）を用いて、変換映像信号（ｒ，ｇ，ｂ，ｗ）の値を所望の値（発光強度）に変換し（ステップＳ１０９）、最終的な出力映像信号（Ｒ，Ｇ，Ｂ，Ｗ）を出力する（ステップＳ１１０）。ただし、このような変換を、ＬＵＴを用いて行うのではなく、ガンマカーブや近似式を用いた演算によって行うようにしてもよい。また、このステップＳ１０９の変換を行わないようにしてもよい。以上により、図７に示した変換処理部２１０における変換処理が終了となる。
【００６５】
以上のように本実施の形態では、変換処理部２１０において、Ｒ，Ｇ，Ｂの３色に対応する入力映像信号に基づいてＲ，Ｇ，Ｂ，Ｗの４色に対応する出力映像信号を生成する際に、以下のようにして変換処理を行う。すなわち、サブピクセル１１Ｗにおける輝度レベルが所定の閾値Ａよりも大きくなる場合には、各サブピクセル１１Ｒ，１１Ｇ，１１Ｂ，１１Ｗにおいて表示動作がなされるように出力映像信号を生成する。一方、サブピクセル１１Ｗにおける輝度レベルが上記閾値Ａ以下となる場合には、各サブピクセル１１Ｒ，１１Ｇ，１１Ｂにおいて表示動作がなされると共にサブピクセル１１Ｗにおいて表示動作がなされなくなるように、出力映像信号を生成する。これにより、複雑な処理（色度補正や色変換処理）を行うことなく、映像表示の際の色度変化を抑えることができる。よって、Ｒ，Ｇ，Ｂ，Ｗの４色のサブピクセル構造を用いて映像表示を行う際に、信号処理負担を抑えつつ高画質化を実現することが可能となる。また、Ｒ，Ｇ，Ｂの３色のサブピクセル構造を用いて映像表示を行う場合と比べ、消費電力を低減することも可能となる。
【００６６】
なお、本実施の形態において、サブピクセル１１Ｗの駆動領域と非駆動領域との間での接続部の色ずれを低減させるために、概ね上記閾値Ａ付近でのＷ（白色光）への配分を漸次変化させる等の手法を用いてもよい。
【００６７】
＜変形例＞
続いて、上記実施の形態の変形例について説明する。なお、上記実施の形態における構成要素と同一のものには同一の符号を付し、適宜説明を省略する。
【００６８】
図８（Ａ），（Ｂ）はそれぞれ、変形例に係る各画素（画素１１−１）の内部構成（サブピクセル構造）の一例を、平面図で模式的に表したものである。
【００６９】
本変形例の画素１１−１は、Ｒ，Ｇ，Ｂの３原色のサブピクセル１１Ｒ，１１Ｇ，１１Ｂと、これらの３色よりも高輝度を示す色Ｚ（ここでは、黄（Ｙ））のサブピクセル１１Ｙとにより構成されている。すなわち、各画素１１−１は、Ｒ，Ｇ，Ｂ，Ｙの４色に対応する４つのサブピクセル１１Ｒ，１１Ｇ，１１Ｂ，１１Ｙからなるサブピクセル構造となっている。換言すると、本変形例の画素１１−１は、上記実施の形態の画素１１において、Ｗに対応するサブピクセル１１Ｗの代わりに、Ｙに対応するサブピクセル１１Ｙを設けたものとなっている。
【００７０】
図８（Ａ）に示した例では、図２（Ａ）と同様に、各画素１１−１内で４つのサブピクセル１１Ｒ，１１Ｇ，１１Ｂ，１１Ｙがマトリクス状（２×２の行列状）に配置されている。また、図８（Ｂ）に示した例では、図２（Ｂ）と同様に、各画素１１−１内で４つのサブピクセル１１Ｒ，１１Ｇ，１１Ｂ，１１Ｙが一列に並んで配置されている。ただし、各画素１１−１内での各サブピクセルル１１Ｒ，１１Ｇ，１１Ｂ，１１Ｙの配置構成は、これらの例には限られず、他の配置構成であってもよい。
【００７１】
ここで、４つのサブピクセル１１Ｒ，１１Ｇ，１１Ｂ，１１Ｙにはそれぞれ、上記実施の形態と同様に白色光Ｌｗを発する有機ＥＬ素子１２（白色発光素子）が設けられている。そして、これらのサブピクセル１１Ｒ，１１Ｇ，１１Ｂ，１１Ｙにはそれぞれ、Ｒ，Ｇ，Ｂ，Ｙの各色に対応するカラーフィルタ（図示せず）が配設されている。ただし、サブピクセル１１Ｙ内に、例えば緑色発光層４４１Ｇおよび赤色発光層４４１Ｒを積層させてなる黄色発光素子を設けると共に、黄色に対応するカラーフィルタを設けないようにしてもよい。
【００７２】
このような構成からなる本変形例においても、上記実施の形態と同様の作用により同様の効果を得ることが可能である。すなわち、３原色Ｒ，Ｇ，Ｂよりも高輝度を示す色Ｚとしては、上記実施の形態で説明したＷには限られず、本変形例で説明したＹや、更には他の色であってもよい。
【００７３】
＜モジュールおよび適用例＞
続いて、図９〜図１４を参照して、上記実施の形態および変形例で説明した表示装置１の適用例について説明する。上記実施の形態等の表示装置１は、テレビジョン装置，デジタルカメラ，ノート型パーソナルコンピュータ、携帯電話等の携帯端末装置あるいはビデオカメラなどのあらゆる分野の電子機器に適用することが可能である。言い換えると、この表示装置１は、外部から入力された映像信号あるいは内部で生成した映像信号を、画像あるいは映像として表示するあらゆる分野の電子機器に適用することが可能である。
【００７４】
（モジュール）
表示装置１は、例えば、図９に示したようなモジュールとして、後述する適用例１〜５などの種々の電子機器に組み込まれる。このモジュールは、例えば、基板３１の一辺に、封止用基板３２から露出した領域２１０を設け、この露出した領域２１０に、駆動回路２０の配線を延長して外部接続端子（図示せず）を形成したものである。この外部接続端子には、信号の入出力のためのフレキシブルプリント配線基板（ＦＰＣ；Flexible Printed Circuit）２２０が設けられていてもよい。
【００７５】
（適用例１）
図１０は、表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００が表示装置１により構成されている。
【００７６】
（適用例２）
図１１は、表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、この表示部４２０が表示装置１により構成されている。
【００７７】
（適用例３）
図１２は、表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、この表示部５３０が表示装置１により構成されている。
【００７８】
（適用例４）
図１３は、表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。そして、この表示部６４０が表示装置１により構成されている。
【００７９】
（適用例５）
図１４は、表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そして、これらのうちのディスプレイ７４０またはサブディスプレイ７５０が、表示装置１により構成されている。
【００８０】
＜その他の変形例＞
以上、実施の形態、変形例および適用例を挙げて本発明を説明したが、本発明はこれらの実施の形態等に限定されず、種々の変形が可能である。
【００８１】
例えば、上記実施の形態等では、有機ＥＬ素子１２が主に白色発光層４４１Ｗを有する白色発光素子である場合について説明したが、例えば、サブピクセル１１Ｒ，１１Ｇ，１１Ｂ内の有機ＥＬ素子１２については各色に対応する発光を行うものであってもよい。また、白色発光層４４１Ｗについても、上記実施の形態等で説明したように、発光色が異なる複数の発光層が積層された構造ではなく、各画素内の面内方向に複数の発光層を配置するようにしてもよい。更に、上記実施の形態等では、発光素子の一例として有機ＥＬ素子を挙げて説明したが、有機ＥＬ素子以外の発光素子を用いるようにしてもよい。
【００８２】
また、上記実施の形態等では、表示装置１がアクティブマトリクス型である場合について説明したが、アクティブマトリクス駆動のための画素回路１４の構成は、上記実施の形態等で説明したものに限られない。すなわち、画素回路１４の構成は、上記実施の形態等で説明した「２Ｔｒ１Ｃ」の回路構成には限られず、例えば必要に応じて、容量素子やトランジスタ等を画素回路１４に追加したり置き換えたりするようにしてもよい。その場合、画素回路１４の変更に応じて、上述した走査線駆動回路２３、信号線駆動回路２４および電源線駆動回路２５の他に、必要な駆動回路を追加するようにしてもよい。
【００８３】
更に、上記実施の形態等では、走査線駆動回路２３、信号線駆動回路２４および電源線駆動回路２５における駆動動作を、タイミング生成回路２２が制御する場合について説明したが、他の回路がこれらの駆動動作を制御するようにしてもよい。また、このような走査線駆動回路２３、信号線駆動回路２４および電源線駆動回路２５に対する制御は、ハードウェア（回路）で行われるようにしてもよいし、ソフトウェア（プログラム）で行われるようにしてもよい。
【００８４】
加えて、上記実施の形態等では、書き込みトランジスタＴｒ１および駆動トランジスタＴｒ２がそれぞれ、ｎチャネルトランジスタ（例えば、ｎチャネルＭＯＳ型のＴＦＴ）により形成されている場合について説明したが、この場合には限られない。すなわち、書き込みトランジスタＴｒ１および駆動トランジスタＴｒ２がそれぞれ、ｐチャネルトランジスタ（例えば、ｐチャネルＭＯＳ型のＴＦＴ）により形成されていてもよい。
【符号の説明】
【００８５】
１…表示装置、１０…表示パネル、１１，１１−１…画素、１１Ｒ，１１Ｇ，１１Ｂ，１１Ｗ，１１Ｙ…サブピクセル、１２…有機ＥＬ素子、１３…画素アレイ部、１４…画素回路、２０…駆動回路、２０Ａ，２１Ａ…映像信号、２０Ｂ…同期信号、２１…映像信号処理回路、２１０…変換処理部、２２…タイミング生成回路、２２Ａ…制御信号、２３…走査線駆動回路、２４…信号線駆動回路、２５…電源線駆動回路、４１…基板、４２…絶縁層、４３…下部電極、４４…有機層、４４１Ｗ…白色発光層、４４１Ｒ…赤色発光層、４４１Ｇ…緑色発光層、４４１Ｂ…青色発光層、４４１Ｙ…黄色発光層、４５…上部電極、４６…絶縁層、４７Ｒ，４７Ｇ，４７Ｂ…カラーフィルタ、ＷＳＬ…走査線、ＤＴＬ，ＤＴＬｒ，ＤＴＬｇ，ＤＴＬｂ，ＤＴＬｗ…信号線、ＤＳＬ…電源線、Ｔｒ１…書き込みトランジスタ、Ｔｒ２…駆動トランジスタ、Ｃｓ…保持容量素子、Ｉｄ…電流、Ｖｇ…ゲート電位、Ｖｓ…ソース電位、Ｖｇｓ…ゲート−ソース間電圧、ＶＳＳ…固定電位、Ｌｒ…赤色光、Ｌｇ…緑色光、Ｌｂ…青色光、Ｌｗ…白色光、Ａ…閾値。
【図１】
2012194256.tif 000007
【図２】
2012194256.tif 000008
【図３】
2012194256.tif 000009
【図４】
2012194256.tif 000010
【図５】
2012194256.tif 000011
【図６】
2012194256.tif 000012
【図７】
2012194256.tif 000013
【図８】
2012194256.tif 000014
【図９】
2012194256.tif 000015
【図１０】
2012194256.tif 000016
【図１１】
2012194256.tif 000017
【図１２】
2012194256.tif 000018
【図１３】
2012194256.tif 000019
【図１４】
2012194256.tif 000020